(57)【要約】      （修正有）【課題】軽量で、カバー掛けやカバー外しが容易で、片付けも行いやすいこと、購入費用が安価であること、などの条件をクリアし、カラス等の鳥類がごみ袋を喰いちぎってごみの散乱を防止できるごみカバー用ネットを提供する。【解決手段】角形状のネット本体１に、ごみ投入口の開口部３と、この開口部３を開閉する面ファスナー５が設けられており、面ファスナー５の近傍に面ファスナー５の結合部を引き剥がす取っ手６を取付けたものである。ネット本体１の隣接する辺の裏側に、繋ぎ部材として例えばロープ７の端部がそれぞれ固定されており、このロープ７上にごみ袋が乗かかることでごみ袋の重みでネット本体１と路面との隙間が発生しにくくなり、ネット本体１がめくりあがる恐れがなくなる。さらには、ネット本体１表側の長辺に沿って取っ手６が取付けられることで、ネット本体１のカバー掛けやカバー外しが容易になり、ネットの片付けも素早く行える。【選択図】図１
0003207036.tif 000002
【実用新案登録請求の範囲】
【請求項１】
角形状のネット本体にごみ投入口を設け、前記ごみ投入口に当該ごみ投入口を開閉する面ファスナーを設け、前記面ファスナーの近傍に当該面ファスナーの結合部を引き剥がす取っ手をネット本体に取付けたことを特徴とするごみカバー用ネット。
【請求項２】
前記ネット本体は長方形であり、前記ごみ投入口は前記ネット本体の長辺に沿って長尺状に設けられている請求項１に記載のごみカバー用ネット。
【請求項３】
前記ごみ投入口の周辺のネットが補強材で被覆されている請求項１に記載のごみカバー用ネット。
【請求項４】
前記ネット本体の隣接する辺の裏側に繋ぎ部材の端部がそれぞれ固定され、前記ネット本体の隅部に前記繋ぎ部材が渡されている請求項１に記載のごみカバー用ネット。
【請求項５】
前記ネット本体表側の長辺に沿って取っ手が取付けられている請求項１に記載のごみカバー用ネット。
【考案の詳細な説明】
【技術分野】
【０００１】  本考案は、カラスなどの鳥類や、犬、ネコなどがごみの入った袋を食い散らかす被害を防ぐためのごみカバー用ネットに関する。
【背景技術】
【０００２】  ごみ集積場所では、カラスなどの鳥類や、犬、ネコなどがごみの入った袋を食い散らかす被害が発生しており、これら被害をなくすためのごみカバー用ネットが用いられている。
ごみカバー用ネットとして、パイプで構成された立体的な枠組にネットを袋状に保持させ、上面に投入口を設けたものが提案されている（特許文献１）。しかし、ごみ袋を取り扱う方が婦人や年配者が多くおられる現状から、投入口が腰付近にあるため、重いごみ袋や大型のごみ袋を投入口まで持ち上げるのは容易ではなく、さらには設置場所の確保、ごみカバー用ネットの購入や設置のコスト、メンテナンス作業等、解決しなければならない課題がある。【０００３】  このような課題を解決するものとして、平面的なごみカバー用ネットを利用するケースが多く見受けられる。このごみカバー用ネットを使用する場合、朝一番にごみ袋を出す人はごみ袋がネットからはみ出さないようにカバーするだけでよい。【０００４】  しかし、平面的なごみカバー用ネットを使用する場合は、ごみ袋が大量になるとごみ袋の山が崩れ、ネットからはみ出る状態になり、ごみ袋散乱防止が十分に実施されていないケースも見受けられる。このような問題に対処するために、レンガ等の重しをネットの周辺に置くようにしているが、レンガを外してネットを捲り上げ、ごみ袋の投入した後再びネットを被せ、さらにレンガでネットがめくれないようにする必要があり、面倒な作業を強いることになる。【０００５】  この問題を解消するものとして、網や布である布状体でごみ袋を覆うタイプのことのできるごみカバー用ネットとして、布状体にごみ投入口を設けることが提案されている（特許文献２）。
このごみカバー用ネットでは投入口よりごみ袋を投入するため、中央部からごみ袋が集積することになり、投入口から押し込まれたごみ袋はネットの周縁部の上に落ちる。したがって、ネットの周縁部と路面との間に隙間ができず、カラス等の鳥類が侵入してごみ袋を喰いちぎってごみを散乱させないとしている。【０００６】  しかし、投入口はごみ袋の集積量によって開いたままの状況になり、カラス等の鳥類が侵入してごみ袋を喰いちぎってごみを散乱させる恐れがある。また、投入口に蓋を設けることも記載されているが、蓋で投入口を覆うだけでは、カラス等の鳥類が蓋を開けることが十分に考えられ、ごみを食い散らかす恐れがあるため、さらに改善が求められる。【０００７】  また、袋状のネットでごみを収納し、袋の入り口を面ファスナーで蓋の開け閉めをするものが提案されており、カラスなどによる被害を防ぐようにしたものがある（特許文献３）。
しかし、この袋状のネットは縦置きとしており、ごみの入り口は側面に位置することになる。したがって、ごみ袋を袋状のネットに入れたり、出したりする作業が面倒であり、地域住民の方々や清掃業者に負担を強いることになる。また、蓋の開け閉めに面ファスナーを用いることが記載されているものの、面ファスナーが袋の側面にあるため、縦置きにしたネットが倒れないように、しかも開け閉めが容易に行える工夫が求められる。
【先行技術文献】
【特許文献】
【０００８】
【特許文献１】  特開平９−４７２１４号公報
【特許文献２】  特許第３５８５１２６号公報
【特許文献３】  登録実用新案第３１１０３２０号公報
【考案の概要】
【考案が解決しようとする課題】
【０００９】  ごみ集積場所において、カラス等の鳥類がごみ袋を喰いちぎってごみ散乱する被害にはごみカバー用ネットは有効である。しかしながら、ごみカバー用ネットは地域住民の方々のコンセンサスや費用負担で使用されるので、軽量で、カバー掛け、カバー外し、カバー片付けなどの作業が行いやすいこと、購入費用が安価であること、などの条件をクリアすることが必要である。しかも、重要な点はカラス等の鳥類がごみ袋を喰いちぎってごみの散乱を防止したごみカバー用ネットの提供ができることである。
【課題を解決するための手段】
【００１０】  このような課題を解決するために、本考案の第１の要旨とするところは、角形状のネット本体にごみ投入口を設け、前記ごみ投入口に当該ごみ投入口を開閉する面ファスナーを設け、前記面ファスナーの近傍に当該面ファスナーの結合部を引き剥がす取っ手を前記ネット本体に取付けたことを特徴とするごみカバー用ネットである。【００１１】  また、本考案の第２の要旨とするところは、前記ネット本体は長方形であり、前記ごみ投入口は前記ネット本体の長辺に沿って長尺状に設けられている第１の要旨に記載のごみカバー用ネットである。【００１２】  また、本考案の第３の要旨とするところは、前記ごみ投入口の周辺のネットが補強材で被覆されている第１の要旨に記載のごみカバー用ネットである。【００１３】  また、本考案の第４の要旨とするところは、前記ネット本体の隣接する辺の裏側に繋ぎ部材の端部がそれぞれ固定され、前記ネット本体の隅部に前記繋ぎ部材が渡されている第１の要旨に記載のごみカバー用ネットである。【００１４】  また、本考案の第５の要旨とするところは、前記ネット本体表側の長辺に沿って取っ手が取付けられている第１の要旨に記載のごみカバー用ネットである。
【考案の効果】
【００１５】  本考案によれば、角形状のネット本体にごみ投入口が設けられているので、ネット本体の端を持ち上げなくてもごみ袋の投入が行いやすくなる。このごみ投入口にはごみ投入口を開閉する面ファスナーが設けられており、ごみ袋の投入時以外は投入口が常時面ファスナーで閉じられているので、投入口からごみが引き出され、喰いちぎられて、ごみが散乱する恐れが解消できる。しかも、投入口を開く際には、投入口近傍に面ファスナーの結合部を引き剥がす取っ手がネット本体に取付けられているので、投入口を容易に開くことができる。【００１６】  また、本考案の第２の要旨によれば、前記ネット本体は長方形で、前記ごみ投入口は前記ネット本体の長辺に沿って長尺状に設けられているので、ごみ投入口が大きく確保でき、ごみ袋の投入や、ネット内への設置が容易であるなどの利点がある。【００１７】  また、本考案の第３の要旨によれば、前記ごみ投入口の周辺のネットは補強材で被覆されているので、取っ手で面ファスナーの結合部を引き剥がす際のネットの破損などを防ぐことができる。【００１８】  また、本考案の第４の要旨によれば、前記ネット本体の隣接する辺の裏側に繋ぎ部材の端部がそれぞれ固定され、前記ネット本体の隅部に前記繋ぎ部材が渡されているので、繋ぎ部材上にごみ袋が乗りかかることで、ネット本体と路面との隙間が発生しにくくなり、カラス等の鳥類がネット本体をめくることが困難となる。【００１９】  さらに、本考案の第５の要旨によれば、前記ネット本体表側の長辺に沿って取っ手が取付けられているので、ネット本体のカバー掛けやカバー外しが容易になり、ネットの片付けも手早く行える。
【図面の簡単な説明】
【００２０】
【図１】本考案のごみカバー用ネットの一例を示す表側平面図
【図２】本考案のごみカバー用ネットの一例を示す裏側斜視図
【図３】本考案のごみカバー用ネットの使用状況を示す表側斜視図
【考案を実施するための形態】
【００２１】  以下に、本考案の実施の形態を図１〜図３にもとづいて説明する。
図１および図２は本考案のごみカバー用ネットを示している。図１および図２において、ごみカバー用ネットは、ネット本体１として１枚の角形状、具体的には長方形のものが用いられる。このネット本体１の表面２側であって、ネット本体の長辺に沿って中央付近の左右に渡って長尺状に開口部３が設けられている。
【００２２】  開口部３の周辺のネットはビニールなどの補強材４で被覆されている。さらに、この開口部３には面ファスナー５が設けられている。この面ファスナー５は互いに対向する面に係合材を有する部材を押し付け合うことで相互に結合するもので、押し付け合ったものは逆に引き剥がすことができる。
【００２３】  面ファスナー５を引き剥がす際に、容易に引き剥がせるように面ファスナー５の近くには取っ手６が取付けられている。図示したものでは、取っ手６が面ファスナー５の上側近傍に取付けられた例を示しているが、面ファスナー５を挟んでネット本体１の上下位置に設けても良い。
【００２４】  ネット本体１の各辺１ａ、１ｂ、１ｃ、１ｄであって、隣接する辺の裏側に繋ぎ部材７、例としてはロープの端部が固定されており、ネット本体１の隅部に繋ぎ部材７が渡されている。この繋ぎ部材であるロープの上にごみ袋が乗ると、ネット本体と路面との隙間が発生しにくくなり、カラス等の鳥類がネット本体１をめくることが困難となる。この場合、ロープに弛みを持たせることで、ごみ袋が乗りかかる確立を高めることができる。
【００２５】  また、ネット本体１表側はその長辺に沿って取っ手８が取付けられている。この取っ手８はごみ集積場所に集められたごみ袋を清掃業者等が回収するときに、ネット本体１のカバーされていたごみ袋をめくり、ごみ袋を回収するために利用される。
【００２６】  図３はネット本体１にごみ袋を投入する様子を示している。この図３において、ネット本体１はその開口部３が開いた状態となっている。具体的に面ファスナー５は互いに結合する結合材５ａと結合材５ｂとが引きはがされた状態である。これら結合材５ａ、５ｂは通常、一方がキノコ状もので構成され、他方がループ状のもので構成されている。
【００２７】  図３に示されているように、開いている開口部３からごみ袋９が投入された状態で、３つのごみ袋９が示されている。ごみ袋９はそのうち左右のごみ袋９が繋ぎ部材７の上に置かれ、乗りかかっている。このような状態になることによって、ネット本体１と路面との隙間が発生しにくくなる。したがって、カラス等の鳥類がネット本体１をめくりあげることが困難となり、ごみが食い散らかる恐れがなくなる。
【００２８】  上記した説明で、繋ぎ部材７としてロープを例に説明したが、この他に、ベルト、布材などが繋ぎ部材に利用できる。このようなベルト、布材についても弛みを持たせることで、ごみ袋が繋ぎ部材７に乗りかかる確立を高めることができる。
【符号の説明】
【００２９】１  ネット本体
１ａ、１ｂ、１ｃ、１ｄ  本体の辺
２  ネット本体の表側
３  開口部
４  補強材
５  面ファスナー
５ａ、５ｂ  結合材
６  取っ手
７  ロープ
８  取っ手
９  ごみ袋
【図１】
0003207036.tif 000003
【図２】
0003207036.tif 000004
【図３】
0003207036.tif 000005